(57)【特許請求の範囲】
【請求項１】
椅子に座り、身体の左右大腿部と前記椅子の座部を通り、
腰上部と前記椅子の背もたれ部を八の字状に体に巻きつけることにより、丹田を意識することができ、腹式呼吸を促す補助バンドであって、
弾性を有する帯状のバンド部と、
前記帯状のバンド部の端部に端部同士を結合する面ファスナー部と、
前記面ファスナー部間の前記帯状のバンド部上に、ゴム、高分子材料の突起物、及びフック状の起毛で構成された滑り止め部と、
を備えることを特徴とする腹式呼吸補助バンド。
【請求項２】
直立し、身体の左右大腿部に巻きつけ、
腰上部を八の字状に巻きけることにより、丹田を意識することができ、腹式呼吸を促す補助バンドであって、
弾性を有する帯状のバンド部と、
前記帯状のバンド部の端部に端部同士を結合する面ファスナー部と、
前記面ファスナー部間の前記帯状のバンド部上に、ゴム、高分子材料の突起物、及びフック状の起毛で構成された滑り止め部と、
を備えることを特徴とする腹式呼吸補助バンド。
【請求項３】
床面に座り、身体の左右大腿部に巻きつけ、
腰上部を八の字状に巻きつけることにより、丹田を意識することができ、腹式呼吸を促す補助バンドであって、
弾性を有する帯状のバンド部と、
前記帯状のバンド部の端部に端部同士を結合する面ファスナー部と、
前記面ファスナー部間の前記帯状のバンド部上に、ゴム、高分子材料の突起物、及びフック状の起毛で構成された滑り止め部と、
を備えることを特徴とする腹式呼吸補助バンド。
【請求項４】
請求項１乃至請求項３の腹式呼吸補助バンドであって、
前記滑り止め部は前記帯状のバンド部の一面全てであることを特徴とする腹式呼吸補助バンド。
【請求項５】
前記帯状のバンド部の材料が、高分子材料で構成されている請求項１乃至請求項４に記載の腹式呼吸補助バンド。
【請求項６】
前記帯状のバンド部の材料が、バネ性材料で構成されている請求項１乃至請求項４に記載の腹式呼吸補助バンド。
【請求項７】
前記高分子材料が、スチレンブタジエンゴム、ポリプロピレン、ポリエチレン、ウレタン、又はアクリルの発泡体である請求項５に記載の腹式呼吸補助バンド。
【発明の詳細な説明】
【背景技術】
【０００１】
本発明は腹式呼吸を促す補助バンド、及び補助バンドを用いた呼吸法に関する。
【０００２】
従来から気持ちの良い緊張感を保った状態（リラックス）に誘導できる腹式呼吸法について、説明文献は多数存在しているが、文献のみで姿勢と呼吸方法を説明するだけでは、腹式呼吸の習得は容易ではなかった。
【０００３】
同様にヨガのポーズも説明文献は多数存在しているが、文献のみで姿勢と呼吸方法を説明するだけでは、ヨガのポーズの習得は容易ではなかった。胸郭周りの筋肉のトレーニングも同様である。
【先行技術文献】
【非特許文献】
【０００４】
【非特許文献１】超呼吸方法：根来秀行著（角川書店）
【非特許文献２】「呼吸力」こそが人生最強の引きである：大貫崇著（大和書房）
【特許文献】
【０００５】
【特許文献１】特開２０１９−１０３５３８号公報
【特許文献２】特許６３７７８７４号
【特許文献３】特許４１８３５１１号
【発明の概要】
【発明が解決しようとする課題】
【０００６】
非特許文献１、及び２に記載の通り、丹田で腹式呼吸するとリラックする効果については実例と共に記載されているものの、それを補助する器具についての記載はなく、文献で姿勢と呼吸方法を説明するのみでは、リラックスをする腹式呼吸の習得は容易ではない。
【０００７】
特許文献１（特開２０１９−１０３５３８号公報）では、ヨガのポーズをとるための補助器具であり、同補助器具を使用するだけで骨盤矯正と引き締めとを同時に効果を奏するようと記載されている。
【０００８】
また、特許文献２（特許６３７７８７４号）では、トレーニング用バンドを利用して、どこでも手軽に行うことができ、胸郭を支える筋力を効果的に鍛え、姿勢の悪化を改善することが可能なトレーニング提供する方法が記載されている。
【０００９】
特許文献３（特許４１８３５１１号）では、では、腹式呼吸で必要な丹田の位置を把握するための丹田検出具についての発明と、丹田で腹式呼吸を行う方法について記載がされているが、特殊な円盤状のプレートを用い、他の開脚反転補助具と組み合わせながら呼吸を行いながらストレッチ運動を行う方法について記載がされている。
【００１０】
特許文献１、及び２のような発明は、補助器具等を使ってヨガや筋肉トレーニングを行うことは可能であるが、この発明の目的である腹式呼吸については応用が効かない。また特許文献３のような発明は様々な補助器具を使いながら丹田を把握して腹式呼吸、及びストレッチを行うため、器具を使用するハードルが高くなるため、簡易的な補助バンドが求められていた。
【００１１】
そこで本発明では、補助器具であるバンドを体に巻きつけるだけで、丹田を意識することができ、簡単に腹式呼吸へ誘導することが可能となる補助バンドを提供することを課題とする。
【課題を解決するための手段】
【００１２】
前記課題を解決するために、請求項１記載の発明は、椅子に座り、身体の左右大腿部と前記椅子の座部を通り、腰上部と前記椅子の背もたれ部を八の字状に体に巻きつけることにより、丹田を意識することができ、腹式呼吸を促す補助バンドであって、
弾性を有する帯状のバンド部と、前記帯状のバンド部の端部に端部同士を結合する面ファスナー部と、前記面ファスナー部間の前記帯状のバンド部上に、ゴム、高分子材料の突起物、及びフック状の起毛で構成された滑り止め部と、を備えることを特徴としている。
【００１３】
請求項２の発明は、直立し、身体の左右大腿部に巻きつけ、腰上部を八の字状に巻きつけることにより、丹田を意識することができ、腹式呼吸を促す補助バンドであって、弾性を有する帯状のバンド部と、前記帯状のバンド部の端部に端部同士を結合する面ファスナー部と、前記面ファスナー部間の前記帯状のバンド部上に、ゴム、高分子材料の突起物、及びフック状の起毛で構成された滑り止め部と、を備えることを特徴としている。
【００１４】
請求項３の発明は、床面に座り、身体の左右大腿部に巻きつけ、腰上部を八の字状に巻きつけることにより、丹田を意識することができ、腹式呼吸を促す補助バンドであって、弾性を有する帯状のバンド部と、前記帯状のバンド部の端部に端部同士を結合する面ファスナー部と、前記面ファスナー部間の前記帯状のバンド部上に、ゴム、高分子材料の突起物、及びフック状の起毛で構成された滑り止め部と、を備えることを特徴としている。
【００１５】
請求項４の発明は、請求項１乃至請求項３の腹式呼吸補助バンドであって、前記滑り止め部は前記帯状のバンド部の一面全てであることを特徴としている。
【００１６】
請求項５の発明は、前記帯状のバンド部の材料が、高分子材料で構成されていることを特徴としている。
【００１７】
請求項６の発明は、前記帯状のバンド部の材料が、バネ性材料で構成されていることを特徴としている。
【００１８】
請求項７の発明は、前記高分子材料が、スチレンブタジエンゴム、ポリプロピレン、ポリエチレン、ウレタン、又はアクリルの発泡体であることを特徴としている。
【００１９】
上記請求項１乃至請求項７によって課題解決を行う。

【発明の効果】
【００２０】
本発明によれば、椅子に座り、請求項１乃至５のいずれかの記載の腹式呼吸補助バンドを巻きつけるだけで、簡単に丹田を把握でき、腹式呼吸が可能となるため、リラックス効果を得ることができる。また滑り止め部が数カ所備えられているため、長時間のリラックス状態でもバンドが椅子や身体からずれる事はなく、腹式呼吸が係属でき、リラックス効果を得続けることが可能となる。また、椅子を使用しない場合、例えば床面に直接座ったり、立ったりする場合でも同様の効果を得ることが可能となる。
【図面の簡単な説明】
【００２１】
【図１】本発明の実施形態に係る腹式呼吸補助バンドの背面を上部として平面に置いた図である
【図２】本発明の実施形態に係る腹式呼吸補助バンドの背面を下部として平面に置いた図である
【図３】本発明の実施形態に係る腹式呼吸補助バンドの端部に取り付けられた面ファスナー部を面的に着け、帯バンド部１を輪状にしたものである。
【図４】本発明の実施形態に係る腹式呼吸補助バンドを椅子に座っている人に巻きつけた状態を正面から示した実施図である。
【図５】本発明の実施形態に係る腹式呼吸補助バンドを椅子に座っている人に巻きつけた状態を正面から示した図の拡大図である。
【図６】本発明の実施形態に係る腹式呼吸補助バンドを椅子に座っている人に巻きつけた状態を背面から示した実施図である。
【図７】本発明の実施形態に係る腹式呼吸補助バンドを椅子に座っている人に巻きつけた状態を左側面から示した実施図である。
【図８】本発明の実施形態に係る腹式呼吸補助バンドを直立している人に巻きつけた状態を正面から示した実施図である。
【図９】本発明の実施形態に係る腹式呼吸補助バンドを直立している人に巻きつけた状態を背面から示した実施図である。
【図１０】本発明の実施形態に係る腹式呼吸補助バンドを床面に座っている人に巻きつけた状態を正面から示した実施図である。
【発明を実施するための形態】
【００２２】
以下、添付図面を参照しながら本発明の実施の形態について説明する。以下の実施の形態は、本発明を説明するための例示であり、本発明をその実施の形態のみに限定する趣旨ではない。また、本発明は、その要旨を逸脱しない限り、様々な変形が可能である。さらに、各図面において同一の構成要素に対しては可能な限り同一の符号を付し、重複する説明は省略する。
【００２３】
図１は、本発明の実施形態に係る腹式呼吸補助バンドの背面を上部として平面に置いた図であり、図２は、本発明の実施形態に係る腹式呼吸補助バンドの背面を下部として平面に置いた図である。またバンドの全長Ｌは身体全体を８の字に巻きつけるものであるため、身体の胴回りの倍の長さが必要となるため、子供や大柄な大人を考慮した場合、０.５m以上５ｍ以下、望ましくは０.８m以上４ｍ以下、さらに望ましくは１m以上３ｍ以下とする。
【００２４】
腹式呼吸補助バンドは図１の通り帯状であり、その大勢を占める帯状バンド部１は身体の状態や体型の変化に対応することと、身体を固定する目的で伸縮性は必要となるため、弾性を有する。帯状バンド部１は弾性を有していれば材料は問わないが、高分子材料で構成されていても良いし、バネ性材料で構成されても良いし、他の材料でも良い。
【００２５】
前記高分子材料は、ゴム、ポリプロピレン、ポリエチレン、ウレタン、又はアクリルの発泡体でも良いが、弾性を有する他の高分子材料でも良い。
【００２６】
前記バネ性材料は金属でも良いし、他の材質でも良いが、金属の場合はステンレス系、鉄系、銅系等が上げられる。鉄系バネ材としてはリボン鋼やべーナイト鋼などがある。金属をバネとして加工し、帯状バンド部１としても良いが、金属を身体に巻きつけるため、バネ性材料には布やプラスチック性の保護材を巻きつけておいても良い。
【００２７】
帯状バンド部１の端部には面ファスナー部１１ａ及び１１ｂが取り付ける。身体に８の字状に巻きつけるため、面ファスナー部１１ａ及び１１ｂはそれぞれ上面、下面に取り付けられていることが望ましいが、帯バンド部１が捻れること許容すれば、面ファスナー部１１ａ及び１１ｂは両方とも上面でも良いし、両方とも下面でも良い。帯状バンド部１と面ファスナー部１１ａ及び１１ｂの取り付け方法は接着を使用しても良いし、縫製しても良い。
【００２８】
面ファスナー部１１ａ及び１１ｂに取り付けられている面ファスナーとは面的に着脱できるファスナーである。前記面ファスナーは、例えばフック状に起毛された側とループ状に密集して起毛された側とを押し付けるとそれだけで貼り付く構造で、貼り付けたり剥がしたりすることが自在に可能となっている構造でも良い。また前記面ファスナーの構造はフックとループ両方が植え込まれており、フック面とループ面との区別のないタイプ（フック面とループ面との取り付け間違いが起きない）やマッシュルーム状に起毛されていて結合力が強いクリックタイプ、鋸歯状のシャークバイト（鮫歯）タイプなどでも良い。
図３は、本発明の実施形態に係る腹式呼吸補助バンドの端部に取り付けられた面ファスナー部１１ａ及び１１ｂを面的に着け、帯バンド部１を輪状にしたものである。
【００２９】
面ファスナー部１１ａ及び１１ｂの間であり、帯状バンド部１の上面に、木製品、金属製品、プラスチック製品、及び繊維との間で摩擦を生む滑り止め部１２ａ乃至１２ｃを取り付ける。図１及び図２の通り、滑り止め部１２ａ乃至１２ｃは３箇所記載しているが、帯状バンド部１と呼吸を行う人が座る椅子等と位置がずれない目的で取り付けているため、１カ所以上あればよく、２カ所以上でも良いし、帯バンド１表面を全て滑り止め部１２ａ乃至１２ｃを取り付けておいても良い。
【００３０】
滑り止め部１２ａ乃至１２ｃの材質は木製品、金属製品、プラスチック製品、及び繊維と摩擦が発生するものであれば問わない。例えば木製品、金属製品であればゴムでも良いし、高分子材料の複数の突起物が取り付けられていても良いし、他の材料でも良い。例えば繊維であれば面ファスナーのフック状に起毛された材料でも良いし、他の材料でも良い。
【００３１】
呼吸補助バンドは身体に８の字状に巻きつけるため、滑り止め部１２ａ乃至１２ｃは全て同じ面に取り付けられていることが望ましいが、帯バンド部１が捻れること許容すれば、滑り止め部１２ａ乃至１２ｃは異なる面に取り付けても良い。帯状バンド部１と滑り止め部１２ａ乃至１２ｃの取り付け方法は接着を使用しても良いし、縫製しても良い。
【００３２】
＜実施形態１＞
次に図４乃至図７を用いて、椅子に座って当発明である腹式呼吸補助バンドを使用する形態について説明する。図４は本発明の実施形態に係る腹式呼吸補助バンドを椅子に座っている人に巻きつけた状態を正面から示した実施図であり、図５は腹式呼吸補助バンドを椅子に座っている人に巻きつけた状態を正面から示した図の拡大図、図６は腹式呼吸補助バンドを椅子に座っている人に巻きつけた状態を背面から示した実施図、及び図７は腹式呼吸補助バンドを椅子に座っている人に巻きつけた状態を左側面から示した実施図である。
【００３３】
（ステップＳ１）
まず図４のように人が椅子に座る。図５の正面拡大図のように帯バンド１の端部に面ファスナー部１１ｂが取り付けられているが、１１ｂを固定し、図５の正面拡大図の右下（人の正面左大腿部）まで帯バンド１を巻きつける。
【００３４】
（ステップＳ２）
帯バンド１は大腿部下に伸ばし、椅子２の座面２２の上と大腿部の間に巻きつける。帯バンド１は反対側の正面拡大図の左下（人の正面右腿部）まで伸ばす。
【００３５】
（ステップＳ３）
再び帯バンド１を面ファスナー部１１ａ近くまで延ばす。
【００３６】
（ステップＳ４）
図５の正面拡大図の右上（椅子２の背もたれ２１付近）、図７の右側面まで帯バンド部１を伸ばす。
【００３７】
（ステップＳ５）
次に図６の背面図のように正面右上に巻きつけた帯バンド部１は椅子の背もたれ２１に巻きつけ、図５の正面拡大図の左上（椅子２の背もたれ２１付近）まで帯バンドを伸ばす。帯バンド部１に取り付けられた滑り止め部１２ａ乃至１２ｃは内側で椅子や衣服と接し、滑り止めとなって、帯バンド１が椅子２とズレが起きない構造となる。
【００３８】
（ステップＳ６）
再び図５の正面拡大図に戻り、左上に巻きつけられている帯バンド１は、もう一つの端部に面ファスナー部１１ａが面ファスナー部１１ｂと重なり、面ファスナー部１１ｂと１１ａを接合し、椅子と人を８の字状に巻きつける。この際の交差ポイントを１３とする。交差ポイント１３は腹式呼吸をする上で意識することが必要な丹田部付近を通る構造となっている。交差ポイント１３は面ファスナー部１１ｂと１１ａの接合部とも重なるように取り付けると、帯バンド部１が３重となり、より丹田部を意識することが可能となる。
【００３９】
巻きつけが完了すると、丹田付近となるクロス部を意識することで腹式呼吸が可能となる。息を吐くときは丹田から空気を押し出すイメージで、息を吸うときは、丹田を膨らますイメージで呼吸を行うことによって呼吸が腹式呼吸となる。腹式呼吸は丹田のみで呼吸を行うイメージのため、この丹田を容易に示すことができ、滑り止め部１２ａ乃至１２ｃがあるため、弾性を有する帯バンド部１は呼吸をしてもズレが生じず、丹田の位置を示し続けることが可能となる。
【００４０】
＜実施形態２＞
次に図５乃至図９を用いて、直立して当発明である腹式呼吸補助バンドを使用する形態について説明する。図５乃至図７は椅子に座った実施図であるが、椅子がないことを前提に説明をする。図８は本発明の実施形態に係る腹式呼吸補助バンドを直立している人に巻きつけた状態を正面から示した実施図であり、図９は本発明の実施形態に係る腹式呼吸補助バンドを直立している人に巻きつけた状態を背面から示した実施図である。
【００４１】
（ステップＳ１１）
まず図８のように人が直立する。図５の正面拡大図のステップＳ１と同様に帯バンド１の端部に面ファスナー部１１ｂが取り付けられているが、１１ｂを固定し、図５の正面拡大図と同様に右下（人の正面左大腿部）まで帯バンド１を巻きつける。
【００４２】
（ステップＳ１２）
ステップ２と同様に、帯バンド１は大腿部下に伸ばし、図９のように臀部（尻部）と大腿部の間に巻きつける。帯バンド１は反対側の正面拡大図の左下（人の正面右腿部）まで伸ばす。
【００４３】
（ステップＳ１３）
ステップ３と同様に、再び帯バンド１を面ファスナー部１１ａ近くまで延ばす。
【００４４】
（ステップＳ１４）
ステップ４と同様に、図５の正面拡大図と同様にの右上、図７の右側面まで帯バンド部１を伸ばす。
【００４５】
（ステップＳ１５）
次にステップ５と同様に、図９の背面図のように正面右上に巻きつけた帯バンド部１は背中に巻きつけ、図５の正面拡大図と同様に左上まで帯バンドを伸ばす。帯バンド部１に取り付けられた滑り止め部１２ａ乃至１２ｃは内側で衣服と接し、滑り止めとなって、帯バンド１が衣服とズレが起きない構造となる。
【００４６】
（ステップＳ１６）
ステップと６同様に、再び図５の正面拡大図に戻り、左上に巻きつけられている帯バンド１は、もう一つの端部に面ファスナー部１１ａが面ファスナー部１１ｂと重なり、面ファスナー部１１ｂと１１ａを接合し、人を８の字状に巻きつける。この際の交差ポイントを１３とする。交差ポイント１３は腹式呼吸をする上で意識することが必要な丹田部付近を通る構造となっている。交差ポイント１３は面ファスナー部１１ｂと１１ａの接合部とも重なるように取り付けると、帯バンド部１が３重となり、より丹田部を意識することが可能となる。
【００４７】
巻きつけが完了すると、丹田付近となるクロス部を意識することで腹式呼吸が可能となる。息を吐くときは丹田から空気を押し出すイメージで、息を吸うときは、丹田を膨らますイメージで呼吸を行うことによって呼吸が腹式呼吸となる。腹式呼吸は丹田のみで呼吸を行うイメージのため、この丹田を容易に示すことができ、滑り止め部１２ａ乃至１２ｃがあるため、弾性を有する帯バンド部１は呼吸をしてもズレが生じず、丹田の位置を示し続けることが可能となる。
【００４８】
＜実施形態３＞
次に図５乃至図７、及び図１０を用いて、床面に座って当発明である腹式呼吸補助バンドを使用する形態について説明する。図５乃至図７は椅子に座った実施図であるが、椅子がないことを前提に説明をする。図１０は本発明の実施形態に係る腹式呼吸補助バンドを床面に座っている人に巻きつけた状態を正面から示した実施図である。
【００４９】
（ステップＳ２１）
まず図１０のように人が床面に座る。図５の正面拡大図のステップＳ１と同様に帯バンド１の端部に面ファスナー部１１ｂが取り付けられているが、１１ｂを固定し、図５の正面拡大図と同様に右下（人の正面左大腿部）まで帯バンド１を巻きつける。
【００５０】
（ステップＳ２２）
ステップ２と同様に、帯バンド１は大腿部下に伸ばし、床面上と大腿部の間に巻きつける。帯バンド１は反対側の正面拡大図の左下（人の正面右腿部）まで伸ばす。
【００５１】
（ステップＳ２３）
ステップ３と同様に、再び帯バンド１を面ファスナー部１１ａ近くまで延ばす。
【００５２】
（ステップＳ２４）
ステップ４と同様に、図５の正面拡大図と同様に右上、図７の右側面まで帯バンド部１を伸ばす。
【００５３】
（ステップＳ２５）
次にステップ５と同様に、図６の背面図のように正面右上に巻きつけた帯バンド部１は椅子の背もたれ２１が無いものとして背中に巻きつけ、図５の正面拡大図と同様に左上まで帯バンドを伸ばす。帯バンド部１に取り付けられた滑り止め部１２ａ乃至１２ｃは内側で衣服と接し、滑り止めとなって、帯バンド１が衣服とズレが起きない構造となる。
【００５４】
（ステップＳ２６）
ステップと６同様に、再び図５の正面拡大図に戻り、左上に巻きつけられている帯バンド１は、もう一つの端部に面ファスナー部１１ａが面ファスナー部１１ｂと重なり、面ファスナー部１１ｂと１１ａを接合し、人を８の字状に巻きつける。この際の交差ポイントを１３とする。交差ポイント１３は腹式呼吸をする上で意識することが必要な丹田部付近を通る構造となっている。交差ポイント１３は面ファスナー部１１ｂと１１ａの接合部とも重なるように取り付けると、帯バンド部１が３重となり、より丹田部を意識することが可能となる。
【００５５】
巻きつけが完了すると、丹田付近となるクロス部を意識することで腹式呼吸が可能となる。息を吐くときは丹田から空気を押し出すイメージで、息を吸うときは、丹田を膨らますイメージで呼吸を行うことによって呼吸が腹式呼吸となる。腹式呼吸は丹田のみで呼吸を行うイメージのため、この丹田を容易に示すことができ、滑り止め部１２ａ乃至１２ｃがあるため、弾性を有する帯バンド部１は呼吸をしてもズレが生じず、丹田の位置を示し続けることが可能となる。
【符号の説明】
【００５６】
１  帯バンド
２  椅子
１１ａ  面ファスナー部
１１ｂ  面ファスナー部
１２ａ  滑り止め部
１２ｂ  滑り止め部
１２ｃ  滑り止め部
１３  交差ポイント（丹田部）
２１  椅子背もたれ
２２  椅子座面
【要約】
【課題】補助器具であるバンドを体に巻きつけるだけで、丹田を意識することができ、簡単に腹式呼吸へ誘導することが可能となる補助バンドを提供すること
【解決手段】弾性を有する帯状のバンド部と、前記帯状のバンド部の端部に端部同士を結合する面ファスナー部と、前記面ファスナー間の前記帯状のバンド部上に、木製品、金属製品、プラスチック製品、及び繊維との間で摩擦を生む滑り止め部と、を備える腹式呼吸補助バンドを使用することにより、簡単に丹田を把握でき、腹式呼吸へ誘導することが可能となる。
【選択図】図４【図１】
0006742679.tif 000002
【図２】
0006742679.tif 000003
【図３】
0006742679.tif 000004
【図４】
0006742679.tif 000005
【図５】
0006742679.tif 000006
【図６】
0006742679.tif 000007
【図７】
0006742679.tif 000008
【図８】
0006742679.tif 000009
【図９】
0006742679.tif 000010
【図１０】
0006742679.tif 000011